(57)【要約】【課題】情報記録媒体の記録補償を正確に行うためには非常に時間がかかっていた。【解決手段】ランダム信号を用いて、再生２値化信号と、クロックで打ち抜いた２値化信号との時間間隔を計測することにより、容易にマークエッジ、スペースエッジのずれ量を得ることができるため、短時間で正確な記録補償を可能とした。より具体的には、信号マーク群の始端エッジに対応した再生２値化信号の変化点と、信号マーク群の終端エッジに対応したクロック打ち抜き２値化信号の変化点との時間を計測して、各信号マークの始端エッジ位置のずれ量を計測し、信号マーク群の始端エッジに対応したクロック打ち抜き２値化信号の変化点と、信号マーク群の終端エッジに対応した前記再生２値化信号の変化点との時間を計測して、各信号マークの終端エッジ位置のずれ量を計測する。【選択図】図８
2005222634.tif 000002
【特許請求の範囲】
【請求項１】
情報記録媒体の信号マーク群および信号スペース群により変調された再生信号を２値化した再生２値化信号と、前記再生２値化信号を元に再生クロック信号を生成し、さらに前記再生２値化信号の立ち上がり立下り部の変動成分を、前記再生クロック信号を用いて除去した、クロック打ち抜き２値化信号とを生成し、
信号マーク群の始端エッジに対応した前記再生２値化信号の変化点と、信号マーク群の終端エッジに対応した前記クロック打ち抜き２値化信号の変化点との時間を計測して、
各信号マークの始端エッジ位置のずれ量を計測し、
また、信号マーク群の始端エッジに対応した前記クロック打ち抜き２値化信号の変化点と、信号マーク群の終端エッジに対応した前記再生２値化信号の変化点との時間を計測して、
各信号マークの終端エッジ位置のずれ量を計測することを特徴とした、信号計測方法。
【請求項２】
情報記録媒体の信号マーク群および信号スペース群により変調された再生信号を２値化した再生２値化信号と、前記再生２値化信号を元に再生クロック信号を生成し、さらに前記再生２値化信号の立ち上がり立下り部の変動成分を、前記再生クロック信号を用いて除去した、クロック打ち抜き２値化信号とを生成し、
信号スペース群の始端エッジに対応した前記再生２値化信号の変化点と、信号スペース群の終端エッジに対応した前記クロック打ち抜き２値化信号の変化点との時間を計測して、
各信号スペースの始端エッジ位置のずれ量を計測し、
また、信号スペース群の始端エッジに対応した前記クロック打ち抜き２値化信号の変化点と、信号スペース群の終端エッジに対応した前記再生２値化信号の変化点との時間を計測して、
各信号スペースの終端エッジ位置のずれ量を計測することを特徴とした、信号計測方法。
【請求項３】
情報記録媒体に記録される前記信号マーク群およびスペース群が、ランダム信号により構成されていることを特徴とした、請求項１または請求項２記載の信号計測方法。
【請求項４】
信号マーク群が光記録材料に光ビームを照射することによって形成されることを特徴とする、請求項１から請求項３いずれか一項に記載の信号計測方法。
【請求項５】
光ディスクをクランプし、回転させるディスク回転手段と、
前記光ディスクにレーザービームを照射し、信号マークにより変調された反射光を電気信号に変換する信号再生手段と、
前記光ディスクの回転およびレーザービームの位置を制御するサーボ手段と、
前記信号再生手段から出力された再生信号から２値化信号を生成する２値化手段と、
前記２値化信号を受けて再生クロック信号を生成する再生クロック生成手段と、
前記２値化信号の２値変化点の変動成分を前記再生クロック信号を用いて除去し、クロック打ち抜き２値化信号を生成するクロック打ち抜き手段と、
前記２値化信号と前記クロック打ち抜き２値化信号間の所定の２値変化点の時間間隔を計測する時間間隔計測手段とを具備したことを特徴とする、光ディスクの信号計測装置。
【請求項６】
記録パルスで変調したレーザービームを光ディスクに照射し、信号マーク群を前記光ディスクに生成した後、再生用レーザービームを光ディスクに照射し、前記信号マーク群およびスペース群により変調された反射光を電気信号に変換し２値化した再生２値化信号として生成し、
前記再生２値化信号を元に再生クロック信号を生成し、さらに前記再生２値化信号の立ち上がり立下り部の変動成分を前記再生クロック信号を用いて除去した、クロック打ち抜き２値化信号とを生成し、
信号マーク群の始端エッジに対応した前記再生２値化信号の変化点と、信号マーク群の終端エッジに対応した前記クロック打ち抜き２値化信号の変化点との時間を計測して、各信号マークに対応した正しいな始端エッジの位置に対する、実際の始端エッジのシフト量を求め、前記シフト量が最小になるように、前記各信号マークに対応した前記記録パルスの調整を行うことを特徴とする、情報記録媒体の記録方法。
【請求項７】
記録パルスで変調したレーザービームを光ディスクに照射し、信号マーク群を前記光ディスクに生成した後、再生用レーザービームを光ディスクに照射し、前記信号マーク群およびスペース群により変調された反射光を電気信号に変換し２値化した再生２値化信号として生成し、
前記再生２値化信号を元に再生クロック信号を生成し、さらに前記再生２値化信号の立ち上がり立下り部の変動成分を前記再生クロック信号を用いて除去した、クロック打ち抜き２値化信号とを生成し、
信号マーク群の始端エッジに対応した前記クロック打ち抜き２値化信号の変化点と、信号マーク群の終端エッジに対応した前記再生２値化信号の変化点との時間を計測して、各信号マークに対応した正しい終端エッジの位置に対する、実際の終端エッジのシフト量を求め、前記シフト量が最小になるように、前記各信号マークに対応した前記記録パルスの調整を行うことを特徴とする、情報記録媒体の記録方法。
【請求項８】
記録パルスで変調したレーザービームを光ディスクに照射し、信号マーク群を前記光ディスクに生成した後、再生用レーザービームを光ディスクに照射し、前記信号マーク群およびスペース群により変調された反射光を電気信号に変換し２値化した再生２値化信号として生成し、
前記再生２値化信号を元に再生クロック信号を生成し、さらに前記再生２値化信号の立ち上がり立下り部の変動成分を前記再生クロック信号を用いて除去した、クロック打ち抜き２値化信号とを生成し、
前記スペース群の始端エッジに対応した前記再生２値化信号の変化点と、前記スペース群の終端エッジに対応した前記クロック打ち抜き２値化信号の変化点との時間を計測して、各スペースに対応した正しい始端エッジの位置に対する、実際の始端エッジのシフト量を求め、前記シフト量が最小になるように、前記各スペースに対応した前記各スペースの前に位置する信号マークの終端に対応した前記記録パルスの調整を行うことを特徴とする、情報記録媒体の記録方法。
【請求項９】
記録パルスで変調したレーザービームを光ディスクに照射し、信号マーク群を前記光ディスクに生成した後、再生用レーザービームを光ディスクに照射し、前記信号マーク群およびスペース群により変調された反射光を電気信号に変換し２値化した再生２値化信号として生成し、
前記再生２値化信号を元に再生クロック信号を生成し、さらに前記再生２値化信号の立ち上がり立下り部の変動成分を前記再生クロック信号を用いて除去した、クロック打ち抜き２値化信号とを生成し、
前記スペース群の始端エッジに対応した前記クロック打ち抜き２値化信号の変化点と、前記スペース群の終端エッジに対応した前記再生２値化信号の変化点との時間を計測して、各スペースに対応した正しい終端エッジの位置に対する、実際の終端エッジのシフト量を求め、前記シフト量が最小になるように、前記各スペースに対応した前記各スペースの後ろにくる信号マークの始端に対応した前記記録パルスの調整を行うことを特徴とする、情報記録媒体の記録方法。
【請求項１０】
記録パルスの調整方法が、各信号マークに対応した記録パルスの書き始めのタイミング、または書き終わりのタイミングを変化させる事を特徴とする、請求項６から請求項９いずれか一項に記載の情報記録媒体の記録方法。
【請求項１１】
記録パルスの調整方法が、各信号マークに対応した記録パルスの書き始めのレーザーパワー、または書き終わりのレーザーパワーを変化させる事を特徴とする、請求項６から９いずれか一項に記載の情報記録媒体の記録方法。
【請求項１２】
記録信号がランダム信号であることを特徴とする、請求項６から請求項１１いずれか一項に記載の情報記録媒体の記録方法。
【請求項１３】
ディスクの回転およびレーザービームの位置を制御するサーボ手段と、
記録信号を生成する記録信号生成手段と、
前記記録信号を元にレーザーを変調し、記録パルスを生成して光ディスクに照射し信号記録を行う信号記録手段と、
光ディスクにレーザービームを照射し、信号マークにより変調された反射光を電気信号に変換する信号再生手段と、
前記信号再生手段から出力された再生信号から２値化信号を生成する２値化手段と、
前記２値化信号を受けて再生クロック信号を生成する再生クロック生成手段と、
前記２値化信号の２値変化点の変動成分を前記再生クロック信号を用いて除去し、クロック打ち抜き２値化信号を生成するクロック打ち抜き手段と、
前記２値化信号と前記クロック打ち抜き２値化信号間の所定の２値変化点の時間間隔を計測する時間間隔計測手段と、
前記時間間隔計測手段による計測結果をもとに、前記記録信号生成手段及び／または前記信号記録手段に対して、記録パルスの調整を指示するフィードバック手段を具備したことを特徴とする、情報記録媒体の記録装置。
【請求項１４】
フィードバック手段の指示する、記録パルスの調整方法が、各信号マークに対応した記録パルスの書き始めのタイミング及び／または書き終わりのタイミングを変化させる事を特徴とする、請求項１３記載の情報記録媒体の記録装置。
【請求項１５】
フィードバック手段の指示する、記録パルスの調整方法が、各信号マークに対応した記録パルスの書き始めのレーザーパワー、または書き終わりのレーザーパワーを変化させる事を特徴とする、請求項１３記載の情報記録媒体の記録装置。
【請求項１６】
記録信号生成手段の生成する記録信号がランダム信号であることを特徴とする、請求項１３から請求項１５いずれか一項に記載の情報記録媒体の記録装置。
【発明の詳細な説明】
【技術分野】
【０００１】
本発明は、情報記録媒体の信号計測方法と記録方法及び装置に関するものである。
【背景技術】
【０００２】
近年、情報記録装置の分野において、ＣＤ−Ｒなどの追記型光ディスク  やＣＤ−ＲＷなどの書き換え型光ディスク  が記録媒体として実用化されている。最近では、レーザー光源としての半導体レーザーの短波長化、高い開口数（Ｎｕｍｅｒｉｃａｌ  Ａｐｅｒｔｕｒｅ）を有する高ＮＡ対物レンズによるスポット径の小径化、及び薄型基板の採用などにより、ＤＶＤ−Ｒ、ＤＶＤ−ＲＷ、ＤＶＤ−ＲＡＭなどの大容量の光ディスクが情報記録装置において用いられている。
【０００３】
例えば、色素記録層を有する記録媒体（色素系記録媒体）のひとつであるＤＶＤ−Ｒへの情報の記録は、記録媒体上のマークの始端と終端に情報を記録するマークエッジ記録方式により行われている。このような大容量の光ディスクに対する記録において、記録媒体の蓄熱や冷却速度の不足に起因するマークの形成不良を考慮して、使用する光ディスクの品質に応じてレーザーの強度を調整するパルス制御方式が実用化されている。このパルス制御方式は、レーザー強度を調整するため細かい間隔でレーザーのオンオフ制御を行うものである。このパルス制御方式において、先頭加熱パルスと後続する複数個の連続加熱パルスとの組み合わせによるパルス列からなるマルチパルスを用いたレーザー発光波形規則（以下、ライトストラテジと称す）が提案されている。
【０００４】
ここで、マークエッジ記録方式でライトストラテジもとめる場合の一例を、図１６に示す。
【０００５】
図１６において、光情報記録媒体に記録パルス１６０のように変調されたレーザービームを照射し、信号マーク１６１を形成し、その後ごく弱い再生パワーでレーザービームを信号マーク１６１に照射し、信号マーク１６１により変調された電気信号である再生信号１６３を得、再生信号１６３から再生２値化信号１６５を得る。この再生２値化信号１６５よりＰｈａｓｅ  Ｌｏｃｋ  Ｌｏｏｐ制御（以降ＰＬＬと称す）により再生クロック１６６を生成する。
【０００６】
マークエッジ記録は、各記録マークのエッジに対応する再生２値化信号１６５の変化点と再生クロック１６６の変化点との時間差のばらつき、すなわち図１６中においてＺ１からＺ５のばらつきが信号品質を決めるポイントであり、図１６中のヒストグラムＢＢ１は、Ｚ１からＺ５を含む再生２値化信号と再生クロックの時間差を集めたものである。つまり、ヒストグラムＢＢ１が細くシャープであるほど、ばらつき（以下ジッターと称する）が良く、信号品質が良いと言える。
【０００７】
次に、ジッターをさらに良くする為に、記録パルス１６０を調整するときには、ジッターの悪化原因を見つけるために、Ｙ１、Ｙ２を含む再生２値化信号のパルス幅を計測する。その結果が図１６中のヒストグラムＡＡ３からＡＡ１４であり、この場合、４Ｔマーク（再生クロックの４倍）であるＡＡ４が幅広いほうにずれていることがわかる。しかし、この場合、信号マークの始端が広いのか、それとも終端が広いのか判別できないため、記録パルス１６０の始端、終端の両方を調整するとともに、ヒストグラムＢＢ１のジッターを常に見ておく必要がある。また４ＴマークＡＡ４以外でも、信号幅は合っているが、クロックに対して始、終端が同じ方向にずれている場合は、ヒストグラムにあらわれてこないため、記録パルスを最適に調整するために、非常に時間がかかっていた。
【０００８】
これに対応して、特開２００３−３０８３７号公報において、再生２値化信号の信号幅を読み取り、記録マークの始終端に対応した再生２値化信号の変化点と、再生クロックの変化点の時間差（図１６中のＺ１からＺ５）を図１７のごとく前スペース長に対応したマークの始端、および後スペースに対応したマークの終端別に分類し、個別の信号マークのエッジのズレ量の平均値を集計し、そのデータをもとに、記録パルスの最適化を図った報告がある（特許文献１参照）。
【特許文献１】特開２００３−３０８３７号公報（図８）
【発明の開示】
【発明が解決しようとする課題】
【０００９】
しかしながら、特開２００３−３０８３７号公報の例のように、再生２値化信号の信号幅を読み取り、記録マークの始終端に対応した再生２値化信号の変化点と、再生クロックの変化点の時間差を前スペース長に対応したマークの始端、および後スペースに対応したマークの終端別に分類し、個別の信号マークのエッジのズレ量の平均値を集計するためには、複雑なハードウエアとソフトウエアの追加が必要であり、コストアップとなる。
【００１０】
本発明は、従来の情報記録媒体の計測方法に比べてほとんど回路の追加が必要が無く、容易に、また正確にライトストラテジ（レーザー発光波形規則）を決定することができ、記録条件をより適正化し得る情報記録媒体の計測方法、記録方法及び装置を提供することを目的とする。
【課題を解決するための手段】
【００１１】
上記の目的を達成するために本発明の信号計測方法は、情報記録媒体の信号マーク群および信号スペース群により変調された再生信号を２値化した再生２値化信号と、前記再生２値化信号を元に再生クロック信号を生成し、さらに前記再生２値化信号の立ち上がり立下り部の変動成分を、前記再生クロック信号を用いて除去した、クロック打ち抜き２値化信号とを生成し、信号マーク群の始端エッジに対応した前記再生２値化信号の変化点と、信号マーク群の終端エッジに対応した前記クロック打ち抜き２値化信号の変化点との時間を計測して、各信号マークの始端エッジ位置のずれ量を計測し、また、信号マーク群の始端エッジに対応した前記クロック打ち抜き２値化信号の変化点と、信号マーク群の終端エッジに対応した前記再生２値化信号の変化点との時間を計測して、各信号マークの終端エッジ位置のずれ量を計測する。なお、再生２値化信号とクロック打ち抜き２値化信号は、通常ドライブが内部に具備している。
【００１２】
この方法により、信号マークの始端エッジと終端エッジに対応した再生信号の位置のずれ量を容易に個別計測できる。
【００１３】
また、本発明の信号計測方法は、情報記録媒体の信号マーク群および信号スペース群により変調された再生信号を２値化した再生２値化信号と、前記再生２値化信号を元に再生クロック信号を生成し、さらに前記再生２値化信号の立ち上がり立下り部の変動成分を、前記再生クロック信号を用いて除去した、クロック打ち抜き２値化信号とを生成し、信号スペース群の始端エッジに対応した前記再生２値化信号の変化点と、信号スペース群の終端エッジに対応した前記クロック打ち抜き２値化信号の変化点との時間を計測して、各信号スペースの始端エッジ位置のずれ量を計測し、また、信号スペース群の始端エッジに対応した前記クロック打ち抜き２値化信号の変化点と、信号スペース群の終端エッジに対応した前記再生２値化信号の変化点との時間を計測して、各信号スペースの終端エッジ位置のずれ量を計測する。
【００１４】
この方法により、信号スペースの始端エッジと終端エッジに対応した再生信号の位置のずれ量を容易に個別計測できる。
【００１５】
また、本発明の信号計測方法は、情報記録媒体の信号マーク群およびスペース群が、ランダム信号により構成されているため、ジッター性能やエラーレートなどの計測を容易におこなうことができる。
【００１６】
また、本発明の本発明の信号計測方法は、信号マーク群が光記録材料に記録されたマークである場合に、容易に最適なライトストラテジーを決めることができる。
【００１７】
また、本発明の信号計測装置は、光ディスクをクランプし、回転させるディスク回転手段と、光ディスクにレーザービームを照射し、信号マークにより変調された反射光を電気信号に変換する信号再生手段と、ディスクの回転およびレーザービームの位置を制御するサーボ手段と、前記信号再生手段から出力された再生信号から２値化信号を生成する２値化手段と、前記２値化信号を受けて再生クロック信号を生成する再生クロック生成手段と、前記２値化信号の２値変化点の変動成分を前記再生クロック信号を用いて除去し、クロック打ち抜き２値化信号を生成するクロック打ち抜き手段と、前記２値化信号と前記クロック打ち抜き２値化信号間の所定の２値変化点の時間間隔を計測する時間間隔計測手段とを具備している。
【００１８】
この構成により、信号マークおよび信号スペースの始端エッジと終端エッジに対応した再生信号の位置のずれ量を個別に計測できる。
【００１９】
また、本発明の記録方法は、記録パルスで変調したレーザービームを光ディスクに照射し、信号マーク群を前記光ディスクに生成した後、再生用レーザービームを光ディスクに照射し、前記信号マーク群およびスペース群により変調された反射光を電気信号に変換し２値化した再生２値化信号として生成し、前記再生２値化信号を元に再生クロック信号を生成し、さらに前記再生２値化信号の立ち上がり立下り部の変動成分を、前記再生クロック信号を用いて除去した、クロック打ち抜き２値化信号とを生成し、信号マーク群の始端エッジに対応した前記再生２値化信号の変化点と、信号マーク群の終端エッジに対応した前記クロック打ち抜き２値化信号の変化点との時間を計測して、各信号マークに対応した正しい始端エッジの位置に対する、実際の始端エッジのシフト量を求め、前記シフト量が最小になるように、前記各信号マークに対応した前記記録パルスの調整を行う。なお、再生２値化信号とクロック打ち抜き２値化信号は、通常ドライブが内部に具備している。
【００２０】
この方法により、信号マーク群の始端エッジに対応した記録パルスの最適化が可能となる。
【００２１】
また、本発明の記録方法は、記録パルスで変調したレーザービームを光ディスクに照射し、信号マーク群を前記光ディスクに生成した後、再生用レーザービームを光ディスクに照射し、前記信号マーク群およびスペース群により変調された反射光を電気信号に変換し２値化した再生２値化信号として生成し、前記再生２値化信号を元に再生クロック信号を生成し、さらに前記再生２値化信号の立ち上がり立下り部の変動成分を、前記再生クロック信号を用いて除去した、クロック打ち抜き２値化信号とを生成し、信号マーク群の始端エッジに対応した前記クロック打ち抜き２値化信号の変化点と、信号マーク群の終端エッジに対応した前記再生２値化信号の変化点との時間を計測して、各信号マークに対応した正しい終端エッジの位置に対する、実際の終端エッジのシフト量を求め、前記シフト量が最小になるように、前記各信号マークに対応した前記記録パルスの調整を行う。
【００２２】
この方法により、信号マーク群の終端エッジに対応した記録パルスの最適化が可能となる。
【００２３】
また、本発明の記録方法は、記録パルスで変調したレーザービームを光ディスクに照射し、信号マーク群を前記光ディスクに生成した後、再生用レーザービームを光ディスクに照射し、前記信号マーク群およびスペース群により変調された反射光を電気信号に変換し２値化した再生２値化信号として生成し、前記再生２値化信号を元に再生クロック信号を生成し、さらに前記再生２値化信号の立ち上がり立下り部の変動成分を、前記再生クロック信号を用いて除去した、クロック打ち抜き２値化信号とを生成し、前記スペース群の始端エッジに対応した前記再生２値化信号の変化点と、前記スペース群の終端エッジに対応した前記クロック打ち抜き２値化信号の変化点との時間を計測して、各スペースに対応した正しい始端エッジの位置に対する、実際の始端エッジのシフト量を求め、前記シフト量が最小になるように、前記各スペースに対応した前記各スペースの前に位置する信号マークの終端に対応した前記記録パルスの調整を行う。
【００２４】
この方法により、信号スペース群の始端エッジに対応した記録パルスの最適化が可能となる。
【００２５】
また、本発明の記録方法は、記録パルスで変調したレーザービームを光ディスクに照射し、信号マーク群を前記光ディスクに生成した後、再生用レーザービームを光ディスクに照射し、前記信号マーク群およびスペース群により変調された反射光を電気信号に変換し２値化した再生２値化信号として生成し、前記再生２値化信号を元に再生クロック信号を生成し、さらに前記再生２値化信号の立ち上がり立下り部の変動成分を、前記再生クロック信号を用いて除去した、クロック打ち抜き２値化信号とを生成し、前記スペース群の始端エッジに対応した前記クロック打ち抜き２値化信号の変化点と、前記スペース群の終端エッジに対応した前記再生２値化信号の変化点との時間を計測して、各スペースに対応した正しい終端エッジの位置に対する、実際の終端エッジのシフト量を求め、前記シフト量が最小になるように、前記各スペースに対応した前記各スペースの後ろにくる信号マークの始端に対応した前記記録パルスの調整を行う。
【００２６】
この方法により、信号スペース群の終端エッジに対応した記録パルスの最適化が可能となる。
【００２７】
また、本発明の記録方法は、記録パルスの調整方法として、各信号マークに対応した記録パルスの書き始めのタイミングおよび／または書き終わりのタイミングを変化させることで、可能となる。
【００２８】
また、本発明の記録方法は、記録パルスの調整方法として、各信号マークに対応した記録パルスの書き始めのレーザーパワーおよび／または書き終わりのレーザーパワーを変化させる事で、可能となる。
【００２９】
また、本発明の記録方法は、記録信号が、ランダム信号により構成されているため、ジッター性能やエラーレートなどの計測を容易におこなうことができる。
【００３０】
また、本発明の記録装置はディスクの回転およびレーザービームの位置を制御するサーボ手段と、記録信号を生成する記録信号生成手段と、前記記録信号を元にレーザーを変調し、記録パルスを生成して光ディスクに照射し信号記録を行う信号記録手段と、光ディスクにレーザービームを照射し、信号マークにより変調された反射光を電気信号に変換する信号再生手段と、前記信号再生手段から出力された再生信号から２値化信号を生成する２値化手段と、前記２値化信号を受けて再生クロック信号を生成する再生クロック生成手段と、前記２値化信号の２値変化点の変動成分を前記再生クロック信号を用いて除去し、クロック打ち抜き２値化信号を生成するクロック打ち抜き手段と、前記２値化信号と前記クロック打ち抜き２値化信号間の所定の２値変化点の時間間隔を計測する時間間隔計測手段と、前記時間間隔計測手段による計測結果をもとに、前記記録信号生成手段及び／または前記信号記録手段に対して、記録パルスの調整を指示するフィードバック手段を具備している。
【００３１】
この構成により、記録パルスの最適化が可能となる。
【００３２】
また、本発明の記録装置において、フィードバック手段の指示する、記録パルスの調整方法が、各信号マークに対応した記録パルスの書き始めのタイミング及び／または書き終わりのタイミングを変化させる。
【００３３】
この構成により、記録パルスの調整が可能となる。
【００３４】
また、本発明の記録装置において、フィードバック手段の指示する、記録パルスの調整方法が、各信号マークに対応した記録パルスの書き始めのレーザーパワー、及び／または書き終わりのレーザーパワーを変化させる。
【００３５】
この構成により、記録パルスの調整が可能となる。
【００３６】
また、本発明の記録装置において、記録信号生成手段の生成する記録信号がランダム信号である。
【００３７】
この構成により、ジッター性能やエラーレートなどの計測を容易におこなうことができる。
【発明の効果】
【００３８】
以上のように本発明の信号計測方法と記録方法及び装置によれば、通常のドライブが具備している２値化信号と、クロック打ち抜き２値化信号とを用いて、ランダム信号で記録マークの始端、終端のずれ量が計測できるため、非常に容易に記録パルスの最適化ができる。
【発明を実施するための最良の形態】
【００３９】
以下本発明の実施の形態について、図面を参照しながら説明する。
【００４０】
（実施の形態１）
図１は、本発明の実施の形態１における信号マーク計測方法の説明図である。
【００４１】
図１において、１１は情報記録媒体に記録された信号マークであり、１２は信号スペースである。１３は信号マーク１１に再生レーザーを照射し、変調された反射光を電気信号に変換した再生信号である。再生信号１３をスライスレベル１４（通常はイコライザーアンプを通した後、ＡＣカップリングを通った信号のゼロクロス点で２値化）で２値化したものが、再生２値化信号１５である。再生２値化信号１５を元にＰＬＬ制御によって生成したものが再生クロック１６である。そして、再生２値化信号１５を再生クロック１６で打ち抜いて変動成分を除去したものが、クロック打ち抜き２値化信号１７である。
【００４２】
図１におけるクロックで打ち抜く動作は、クロックのレベルがＨＩの時に、再生２値化信号１５からデータ−を取り込み、クロックの立下りによって、取り込んだデータを出力する構造のフリップフロップを用いて、クロック打ち抜き２値化信号１７を生成している。
【００４３】
このクロック打ち抜き２値化信号の特徴は、再生クロックと同期しているために、ジッター成分が無視できるほど小さくなっていることである。ここで、再生２値化信号の立下りと、クロック打ち抜き２値化信号の立ち上がり間の時間差であるＡ１及びＡ２を含む多数のデータを計測することで、信号マークの始端の各信号間の相対的なずれ量と各信号マークの始端のジッターが計測できる。また、クロック打ち抜き２値化信号の立ち下がりと、再生２値化信号の立上がり間の時間差であるＢ１及びＢ２を含む多数のデータを計測することで、信号マークの終端の各信号間の相対的なずれ量と各信号マークの終端のジッターが計測できる。
【００４４】
図５におけるＩ３からＩ１４のヒストグラムは、本実施の形態における始端エッジの計測結果、Ｊ３からＪ１４は本実施の形態における終端エッジの計測結果を市販のタイム・インターバル・アナライザー（以降ＴＩＡと称する）を用いて、表示させたものである。なお、情報記録媒体に記録されている信号は、ＤＶＤで使われている８−１６変調のランダム信号である。ここでは４Ｔ信号の始端エッジであるＩ４が、５Ｔ側にずれている。つまり、４Ｔマークの始端エッジが進み側にずれているということになる。
【００４５】
なお、通常のドライブでは、記録データを復調する過程で、再生２値化信号、クロック打ち抜き２値化信号を具備しているため、新たに回路を追加することはほとんどない。
【００４６】
図２は本発明の実施の形態１における信号スペース計測方法の説明図である。
【００４７】
図２において、各信号は図１と同一であるため、説明は省略する。ここで、再生２値化信号の立上がりと、クロック打ち抜き２値化信号の立ち下がり間の時間差であるＣ１及びＣ２を含む多数のデータを計測することで、信号スペースの始端の各信号間の相対的なずれ量が計測できる。また、クロック打ち抜き２値化信号の立ち上がりと、再生２値化信号の立下がり間の時間差であるＤ１及びＤ２を含む多数のデータを計測することで、信号スペースの終端の各信号間の相対的なずれ量と各信号スペースの終端のジッターが計測できる。
【００４８】
図６は本発明の実施の形態１における信号計測装置のブロック図である。図６において、６１は光ディスク、６２はディスク回転手段、６３はサーボ手段、６４はレーザービーム、６５は信号再生手段、６６は２値化手段、６７はクロック生成手段、６８はクロック打ち抜き手段、６９は時間間隔計測手段である。
【００４９】
ディスク回転手段６２に取り付けられた光ディスク６１に、サーボ手段６３によってレーザービーム６４を正確に記録マークに照射される。光ディスク６１上の記録マークによって変調された反射光は信号再生手段６５によって電気信号に変換され、再生信号となる。再生信号は、２値化手段６６により２値化され、２値化信号となり、クロック生成手段６７によりＰＬＬ制御されて再生クロックが生成される。そして、２値化信号と再生クロックをもとに、クロック打ち抜き手段６８によって、クロック打ち抜き２値化信号が生成される。そして２値化信号と、クロック打ち抜き２値化信号間の時間間隔を計測する時間間隔計測手段により、信号マークの始端と終端、および、信号スペースの始端と終端のエッジずれの計測が可能となる。
【００５０】
以上のように本発明の実施の形態１によれば、２値化手段、クロック打ち抜き手段を具備しているので、ランダム信号における信号マークおよび信号スペースのずれ量を個別に、また容易に計測できる。
【００５１】
（実施の形態２）
図３は、本発明の実施の形態２における信号マーク計測方法の説明図である。
【００５２】
図３において、３１は情報記録媒体に記録された信号マークであり、３２は信号スペースである。３３は再生マーク３１に再生レーザーを照射し、変調された反射光を電気信号に変換した再生信号である。再生信号３３を所定の方法（通常はイコライザーアンプを通した後、ＡＣカップリングを通った信号のゼロクロス点で２値化）で２値化したものが、再生２値化信号３５である。再生２値化信号３５を元にＰＬＬ制御によって生成したものが再生クロック３６である。そして、再生２値化信号３５を再生クロック３６で打ち抜いたものが、クロック打ち抜き２値化信号３７である。
【００５３】
図３におけるクロック打ち抜き２値化信号３７は、再生２値化信号３５が変化したときのみ、ＨＩとなるようにしてある。具体的には、再生２値化信号３５が変化した後に再生クロック３６の立下りと同期して、１／２クロックだけ、クロック打ち抜き２値化信号３７がＨＩとなる。
【００５４】
このクロック打ち抜き２値化信号の特徴は、再生クロックと同期しているために、ジッター成分が無視できるほど小さくなっていることである。さらに本実施の形態２においては、再生２値化信号３５を１．５クロック幅程度遅延させた２値化信号３８を用いる。この遅延した再生２値化信号２８は、単なるディレーラインを通っているだけなので、再生２値化信号３５のずれ成分をそのまま持っている。ここで、遅延した再生２値化信号の立下りと、クロック打ち抜き２値化信号の立上がり間の時間差であるＥ１及びＥ２を含む多数のデータを計測することで、信号マークの始端の各信号間の相対的なずれ量が計測できる。また、クロック打ち抜き２値化信号の立上がりと、遅延した再生２値化信号の立上がり間の時間差であるＦ１及びＦ２を含む多数のデータを計測することで、信号マークの終端の各信号間の相対的なずれ量が計測できる。
【００５５】
図４は本発明の信号計測方法の実施の形態２における信号スペース計測方法の説明図である。
【００５６】
図４において、各信号は図３と同一であるため、説明は省略する。ここで、遅延した再生２値化信号の立上がりと、クロック打ち抜き２値化信号の立上がり間の時間差であるＧ１及びＧ２を含む多数のデータを計測することで、信号スペースの始端の各信号間の相対的なずれ量が計測できる。また、クロック打ち抜き２値化信号の立ち上がりと、遅延した再生２値化信号の立下がり間の時間差であるＨ１及びＨ２を含む多数のデータを計測することで、信号スペースの終端の各信号間の相対的なずれ量が計測できる。
【００５７】
図７は本発明の実施の形態２における信号計測装置のブロック図である。図７において、７１は光ディスク、７２はディスク回転手段、７３はサーボ手段、７４はレーザービーム、７５は信号再生手段、７６は２値化手段、７７はクロック生成手段、７８はクロック打ち抜き手段、７９は時間間隔計測手段で、７１０は２値化信号の遅延手段である。
【００５８】
ディスク回転手段７２に取り付けられた光ディスク７１に、サーボ手段７３によってレーザービーム７４を正確に記録マークに照射される。光ディスク７１上の記録マークによって変調された反射光は信号再生手段７５によって電気信号に変換され、再生信号となる。再生信号は、２値化手段７６により２値化され、２値化信号となり、クロック生成手段７７によりＰＬＬ制御されて再生クロックが生成される。そして、２値化信号と再生クロックをもとに、クロック打ち抜き手段７８によって、クロック打ち抜き２値化信号が生成される。ここでのクロック打ち抜き２値化信号とは、図３および図４で説明したように、２値化信号の変化点において、短いパルスが立つタイプのものである。そして遅延手段７１０によって遅延された２値化信号と、クロック打ち抜き２値化信号間の時間間隔を計測する時間間隔計測手段により、信号マークの始端と終端、および、信号スペースの始端と終端のエッジのずれを個別に計測が可能となる。
【００５９】
以上のように本発明の実施の形態２によれば、２値化手段、クロック打ち抜き手段を具備しているので、信号マークおよび信号スペースのずれ量を個別に、また容易に計測できる。
【００６０】
（実施の形態３）
図８は本発明の実施の形態３における、信号マーク始端の記録方法の説明図である。
【００６１】
図８において、８１は記録パルス８０によって情報記録媒体に記録された信号マークであり、８２は信号スペースである。８３は信号マーク８１に再生レーザーを照射し、変調された反射光を電気信号に変換した再生信号である。再生信号８３をスライスレベル８４で２値化したものが、再生２値化信号８５である。再生２値化信号８５を元にＰＬＬ制御によって生成したものが再生クロック８６である。そして、再生２値化信号８５を再生クロック８６で打ち抜いて変動成分を除去したものが、クロック打ち抜き２値化信号８７である。
【００６２】
ここで、再生２値化信号の立下りと、クロック打ち抜き２値化信号の立ち上がり間の時間差であるＫ１及びＫ２を含む多数のデータを計測することにより、信号マークの始端のずれが計測できる。これらのデータをヒストグラム化したものがＬ３からＬ１４である。その結果、ここでは４Ｔ信号の始端を表しているＬ４が５Ｔ側にずれているので、記録パルス８０における４Ｔパルスの始端を調整して、信号マーク８１の始端エッジを遅れ側にずらすことで、記録信号の品質が改善される。
【００６３】
図９は本発明の実施の形態３における、信号マーク終端の記録方法の説明図である。
【００６４】
図９においての各要素は、図８と共通であるため、詳しい説明は省略する。
【００６５】
ここで、クロック打ち抜き２値化信号の立ち下がりと再生２値化信号の立上がり間の時間差であるＭ１及びＭ２を含む多数のデータを計測することにより、信号マークの終端のずれが計測できる。これらのデータをヒストグラム化したものがＮ３からＮ１４である。その結果、ここでは４Ｔ信号の終端を表しているＮ４が３Ｔ側にずれているので、記録パルス８０における４Ｔパルスの終端を調整して、信号マーク８１の終端エッジを遅れ側にずらすことで、記録信号の品質が改善される。
【００６６】
図１０は本発明の実施の形態３における、信号スペース始端の記録方法の説明図である。
【００６７】
図１０においての各要素は、図８、図９と共通であるため、詳しい説明は省略する。
【００６８】
ここで、再生２値化信号の立上がりとクロック打ち抜き２値化信号の立ち下がりと間の時間差であるＯ１及びＯ２を含む多数のデータを計測することにより、信号スペース始端のずれが計測できる。これらのデータをヒストグラム化したものがＰ３からＰ１４である。その結果、ここでは３Ｔスペース信号の始端を表しているＰ３が短い方向にずれているので、記録パルス８０における３Ｔスペースの手前にある各マークの終端エッジを進み側にずらすことにより、３Ｔスペースの始端の長さを確保できるため、記録信号の品質が改善される。
【００６９】
図１１は本発明の実施の形態３における、信号スペース終端の記録方法の説明図である。
【００７０】
図１１においての各要素は、図８、図９、図１０と共通であるため、詳しい説明は省略する。
【００７１】
ここで、クロック打ち抜き２値化信号の立上がりと再生２値化信号の立下がりと間の時間差であるＱ１及びＱ２を含む多数のデータを計測することにより、信号スペース始端のずれが計測できる。これらのデータをヒストグラム化したものがＲ３からＲ１４である。この例では、３Ｔスペース信号の終端を表しているＲ３、４Ｔ側にずれているので、記録パルス８０における３Ｔスペースの後にある各マークの始端エッジを進み側にずらすことにより、３Ｔスペースの終端のずれを調整できるため、記録信号の品質が改善される。
【００７２】
図１２から図１４、は本発明の実施の形態３における記録方法の、記録パルス調整の一例を示した説明図である。
【００７３】
図１２は記録パルスの始端位置、及び終端位置を動かして調整する方法であり、Ｓ１からＳ４が各エッジの進み方向を表している。またＴ１からＴ４が各エッジの遅れ方向を表している。
【００７４】
図１３は記録パルスの始端の記録パワー、及び終端の記録パワーを動かして調整する方法であり、Ｕ１からＵ６が各エッジのパワー追加方向を表している。またＶ１からＶ６が各エッジのパワーを下げる方向を表している。
【００７５】
図１４は記録パルス全体の位置を動かして調整する方法であり、Ｗ１、Ｘ１は３Ｔパルス全体を進み側、遅れ側に移動させることを表している。またＷ２、Ｘ２はトップパルス全体を移動させること、Ｗ３、Ｘ３はラストパルス全体を移動させることを表している。
【００７６】
なお、記録パルスの調整方法を、ここでは３種類であらわしたが、これらを組み合わせて使用してもよい。
【００７７】
図１５は本発明の実施の形態３における記録装置のブロック図である。図１５において、１５１は光ディスクであり市販のＤＶＤ−Ｒを使用した。１５２はディスク回転手段、１５３はサーボ手段、１５４はレーザービームであり、波長は６５８ｎｍでＮＡは０．６である。１５５は信号再生手段、１５６は２値化手段、１５７はクロック生成手段、１５８はクロック打ち抜き手段、１５９は時間間隔計測手段であり、市販のＴＩＡ（横河ＴＡ７２０）を用いた。１５０２はフィードバック手段、１５０１は記録信号生成手段でありＤＶＤ−規格準拠の８−１６変調のランダム信号を用いた。１５００は信号記録手段である。
【００７８】
ディスク回転手段１５２に取り付けられた光ディスク１５１に、サーボ手段１５３によってレーザービーム１５４を正確に照射される。記録信号生成手段１５０１によってつくられたランダム信号は、信号記録手段１５００によって記録パルス化されてレーザービーム１５４が変調されて、光ディスク上で記録マークが生成される。その後、再生モードにおいて、光ディスク１５１上の記録マークによって変調された反射光は信号再生手段１５５によって電気信号に変換され、再生信号となる。再生信号は、２値化手段１５６により２値化され、２値化信号となり、クロック生成手段１５７によりＰＬＬ制御されて再生クロックが生成される。そして、２値化信号と再生クロックをもとに、クロック打ち抜き手段１５８によって、クロック打ち抜き２値化信号が生成される。そして２値化信号と、クロック打ち抜き２値化信号間の時間間隔を計測する時間間隔計測手段１５９により、信号マークの始端と終端、および、信号スペースの始端と終端のエッジのずれを個別に計測し、フィードバック手段１５０２により、エッジのずれ量を記録信号生成手段１５０１、信号記録手段１５００にフィードバックする。このずれ量を受けて、記録信号生成手段１５０１および／または信号記録手段１５００が記録パルスのエッジ位置を修正、及び／またはパルス全体の位置を移動、及び／または、パルスのエッジ部分のレーザーパワーを変化させ、前記エッジのずれ量を最小に調整する。
【００７９】
以上のように本発明の実施の形態３によれば、２値化手段、クロック打ち抜き手段を具備しているので、信号マークおよび信号スペースのずれ量を容易に計測できるとともに、フィードバック手段も具備しているため、容易にライトストラテジの最適化が行える。
【００８０】
なお、実施の形態３は、実施の形態１に記録機能を付加した形となったが、実施の形態２に記録機能を追加しても良い。
【産業上の利用可能性】
【００８１】
本発明にかかる信号計測方法および記録方法は、容易に最適なライトストラテジを得ることができるため、光ディスクの記録方法として有用である。磁気記録、光磁気記録などの記録の用途にも応用できる。
【図面の簡単な説明】
【００８２】
【図１】本発明の実施の形態１における信号マーク計測方法の説明図
【図２】本発明の実施の形態１における信号スペース計測方法の説明図
【図３】本発明の実施の形態２における信号マーク計測方法の説明図
【図４】本発明の信号計測方法の実施の形態２における信号スペース計測方法の説明図
【図５】本実施の形態１における信号マークエッジ位置の計測結果ヒストグラムを示す図
【図６】本発明の実施の形態１における信号計測装置のブロック図
【図７】本発明の実施の形態２における信号計測装置のブロック図
【図８】本発明の実施の形態３における、信号マーク始端の記録方法の説明図
【図９】本発明の実施の形態３における、信号マーク終端の記録方法の説明図
【図１０】本発明の実施の形態３における、信号スペース始端の記録方法の説明図
【図１１】本発明の実施の形態３における、信号スペース終端の記録方法の説明図
【図１２】本発明の実施の形態３における記録パルスの始、終端位置を動かして調整する方法の説明図
【図１３】本発明の実施の形態３における記録パルスの始、終端の記録パワーを動かして調整する方法の説明図
【図１４】本発明の実施の形態３におけるパルス全体の位置を動かして調整する方法の説明図
【図１５】本発明の実施の形態３における記録装置のブロック図
【図１６】従来のマークエッジ記録方式での記録の一例を示す説明図
【図１７】従来の記録に使用する位相誤差テーブルの１例を示す図
【符号の説明】
【００８３】
１１，３１，８１，１６１    信号マーク
１２，３２，８２，１６２    信号スペース
１５，３５，８５，１６５    再生２値化信号
１７，３７，８７    クロック打ち抜き２値化信号
６１，７１，１５１    光ディスク
６２，７２，１５２    ディスク回転手段
６３，７３，１５３    サーボ手段
６４，７４，１５４    レーザービーム
６５，７５，１５５    信号再生手段
６６，７６，１５６    ２値化手段
６８，７８，１５８    クロック打ち抜き手段
６９，７９，１５９    時間間隔計測手段
１５００    信号記録手段
１５０１    記録信号生成手段
１５０２    フィードバック手段
【図１】
2005222634.tif 000003
【図２】
2005222634.tif 000004
【図３】
2005222634.tif 000005
【図４】
2005222634.tif 000006
【図５】
2005222634.tif 000007
【図６】
2005222634.tif 000008
【図７】
2005222634.tif 000009
【図８】
2005222634.tif 000010
【図９】
2005222634.tif 000011
【図１０】
2005222634.tif 000012
【図１１】
2005222634.tif 000013
【図１２】
2005222634.tif 000014
【図１３】
2005222634.tif 000015
【図１４】
2005222634.tif 000016
【図１５】
2005222634.tif 000017
【図１６】
2005222634.tif 000018
【図１７】
2005222634.tif 000019